(57)【要約】【課題】通風抵抗を増加させることなく集塵能力を高めたフィルタおよび同フィルタを備えた空気調和機を提供する。【解決手段】枠体５１と、同枠体５１内に縦糸５２１と、横糸５２２とを織り込んで張設される網体５２とからなるフィルタ５において、前記縦糸５２１および前記横糸５２２の断面形状は、風の流れに対向する対向部の長さＨに対し風の流れに沿う側部の長さＩを長くして非円形状とし、また、風の流れに沿う側部に角部Ｋまたは段部Ｌを形成し、または、表面に凹凸Ｍ，Ｎを形成した。【選択図】図４
2012047381.tif 000002
【特許請求の範囲】
【請求項１】
枠体と、同枠体内に縦糸と横糸とを織り込んで張設される網体とからなるフィルタにおいて、
前記縦糸および前記横糸の断面形状は、風の流れに対向する対向部の長さに対し風の流れに沿う側部の長さを長くして非円形状としたフィルタ。
【請求項２】
風の流れに沿う前記側部に、角部または段部を形成した請求項１に記載のフィルタ。
【請求項３】
枠体と、同枠体内に縦糸と横糸とを織り込んで張設される網体とからなるフィルタにおいて、
前記縦糸および前記横糸は、表面に凹凸を形成したフィルタ。
【請求項４】
請求項１乃至請求項３に記載されたフィルタを備えた空気調和機。
【発明の詳細な説明】
【技術分野】
【０００１】
本発明は、フィルタおよび同フィルタを備えた空気調和機に関わり、より詳細には、フィルタの集塵能力を高めた構成に関するものである。
【背景技術】
【０００２】
空気調和機に用いられ、吸込口から吸い込まれた空気中に含まれる塵埃を捕捉するための従来のフィルタは、一般的なものとして、図示はしないが、外郭部をなす枠体と、枠体内を左右方向に区切る縦リブおよび上下方向に区切る横リブと、これら枠体と、縦リブおよび横リブとで支持され、塵埃を捕捉するための縦糸および横糸による網体とからなる構成が知られている。
【０００３】
縦糸および横糸による網体は、例えば、特開２００８−１１６０８９号公報に開示されているように、糸径３０μｍ〜７０μｍの有機繊維からなる糸を用い、目付け量が６５本／インチ〜１００本／インチでなるように構成されている。
【０００４】
上述した構成によるフィルタは、空気調和機の空気通路に配置されることで、吸込口から吸い込まれた空気中に含まれている塵埃を網体によって捕捉することにより、被空調室へ吹き出される空気の清浄化を図るようになっている。
【０００５】
しかしながら、網体の糸径および目付け量によってフィルタの開口率が決まる。これにより、フィルタにおける通風抵抗が設定されるのであるが、フィルタの開口率を大きくして通風抵抗を減少させると集塵能力が低下し、フィルタの開口率を小さくして集塵能力を向上させると通風抵抗が増加することになるので、上述したフィルタの構成においては、フィルタにおける通風抵抗を増加させることなく、フィルタによる集塵能力を向上させることが困難であった。
【先行技術文献】
【特許文献】
【０００６】
【特許文献１】特開２００８−１１６０８９号公報
【発明の概要】
【発明が解決しようとする課題】
【０００７】
本発明は、上記問題点に鑑み、通風抵抗を増加させることなく集塵能力を高めたフィルタおよび同フィルタを備えた空気調和機を提供することを目的とする。
【課題を解決するための手段】
【０００８】
上述した目的を達成できるように構成するため、本発明は以下に示す特徴を備えている。
【０００９】
枠体と、同枠体内に縦糸と横糸とを織り込んで張設される網体とからなるフィルタにおいて、
前記縦糸および前記横糸の断面形状は、風の流れに対向する対向部の長さに対し風の流れに沿う側部の長さを長くして非円形状とした構成となっている。
【００１０】
また、風の流れに沿う前記側部に、角部または段部を形成した構成となっている。
【００１１】
また、枠体と、同枠体内に縦糸と横糸とを織り込んで張設される網体とからなるフィルタにおいて、
前記縦糸および前記横糸は、表面に凹凸を形成した構成となっている。
【００１２】
また、前記フィルタを備えた空気調和機となっている。
【発明の効果】
【００１３】
本発明によれば、通風抵抗を増加させることなく集塵能力を高めたフィルタおよび同フィルタを備えた空気調和機を提供できる。
【図面の簡単な説明】
【００１４】
【図１】本発明によるフィルタを備えた空気調和機の断面図である。
【図２】本発明によるフィルタの説明図で、（Ａ）は斜視図であり、（Ｂ）は網体の斜視図である。
【図３】本発明によるフィルタの説明図で、（Ａ）は平面図であり、（Ｂ）は網体の拡大図である。
【図４】図３（Ｂ）のＤ−Ｄ断面図およびＥ−Ｅ断面図で、（Ａ）は第一例を、（Ｂ）は第二例を、（Ｃ）は第三例を、（Ｄ）は第四例を、（Ｅ）は第五例を夫々示す。
【発明を実施するための形態】
【００１５】
以下、本発明の実施の形態を、添付図面に基づいた実施例として詳細に説明する。
【００１６】
本発明によるフィルタを備えた空気調和機１は、図１に示す断面図のように、前面に前面吸込口２を設けるとともに、前面上部に上面吸込口３を設け、前面下部に吹出口４を設けている。
【００１７】
また、吹出口４の側方には、図示はしないが、複数のＬＥＤ等からなる表示部と、リモートコントローラからの信号を受信する受信部とが設けられ、また、吹出口４の後部寄りには回動自在に枢支された複数の左右風向板８が設けられるとともに、その前部には回動自在に枢支された上下風向板９が設けられており、同上下風向板９は運転停止時に吹出口４を遮蔽するようになっている。
【００１８】
前面吸込口２および上面吸込口３と、吹出口４とを結ぶ空気通路には、前面吸込口２および上面吸込口３から吸込まれた空気中に含まれる塵埃を捕捉するフィルタ５と、等間隔で平行に並べられた図示しない多数のフィンとこれに直交する伝熱管とからなり、前方上部熱交換器６ａと前方下部熱交換器６ｂと後方上部熱交換器６ｃとで構成された逆Ｖ字状の熱交換器６と、熱交換器６で冷媒と熱交換された空気を吹出口４から被空調室に吹き出す送風ファン７とが設けられている。
【００１９】
また、前方下部熱交換器６ｂの下方には、前方上部熱交換器６ａおよび前方下部熱交換器６ｂから滴下する凝縮水を受ける前部露受皿１０が設けられ、後方上部熱交換器６ｃの下方には、後方上部熱交換器６ｃから滴下する凝縮水を受ける後部露受皿１１が設けられている。また、送風ファン７と吹出口４とを結ぶ吹出通路であって、吹出口４の後部寄りには、被空調室に吹き出される吹出風を左右方向に偏向させる複数の左右風向板８が回動自在に枢支されており、左右風向板８の前部には、上下風向板９が回動自在に枢支されている。
【００２０】
フィルタ５は、図２（Ａ）に示すように、枠状に形成された合成樹脂による枠体５１と、枠体５１内を左右方向に区切る縦リブ５１１および上下方向に区切る横リブ５１２と、これら枠体５１と、縦リブ５１１および横リブ５１２とで支持される図２（Ｂ）に示すような網体５２とからなり、図１に示すように、前面吸込口２および上面吸込口３と、吹出口４とを結ぶ空気通路に設置されることで、前面吸込口２および上面吸込口３から吸い込まれた空気中に含まれている塵埃を網体５２によって捕捉し、吹出口４から被空調室へ吹き出される吹出空気の清浄化を図るようにしている。
【００２１】
フィルタ５を構成する枠体５１内は、図２（Ａ）および図３（Ａ）に示すように、合成樹脂による複数の縦リブ５１１および複数の横リブ５１２で格子状になっており、フィルタ５を構成する網体５２は、図２（Ｂ）と、図３（Ａ）および図３（Ｂ）とに示すように、枠体５１と、複数の縦リブ５１１および複数の横リブ５１２とで支持されることで、左右方向および上下方向に区切られるように張設された構成になっている。
【００２２】
すなわち、フィルタ５を構成する網体５２は、図２（Ｂ）に示すように、縦糸５２１および横糸５２２が交互に織り込まれることで形成されたのち、図３（Ａ）に示すように、枠体５１と、複数の縦リブ５１１および複数の横リブ５１２とで支持された構成になっており、また、図３（Ｂ）に示すように、糸径ａによる縦糸５２１同士の間隔Ａと、同じく糸径ａによる横糸５２２同士の間隔Ｂとが、同等の間隔による網目となるように形成された構成になっている。
【００２３】
フィルタ５が射出成型される際、金型内に網体５２をセットし、閉じた金型に流入した溶融樹脂が固化することにより、網体５２は、所謂インサート成型によって、図２（Ａ）に示すように枠体５１に接合されるようになっている。枠体５１は、例えばＰＰ（ポリプロピレン）からなる柔軟性を有する樹脂材によって成型され、網体５２も、例えばＰＰ（ポリプロピレン）からなる糸によって形成されている。
【００２４】
次に、通風抵抗を抑えて集塵性能を高めることができるようにしたフィルタ５の構成について、網体５２の縦糸５２１および横糸５２２の断面形状を第一例〜第五例として示す図４（Ａ）〜図４（Ｅ）に基づいて、以下に説明する。
【００２５】
網体５２の縦糸５２１同士の間隔Ａと、横糸５２２同士の間隔Ｂとが、図４（Ａ）〜図４（Ｅ）において、編目の粗さが所定の大きさに設定された糸間の隙間Ｊとして示されており、第一例〜第三例として示す図４（Ａ）〜図４（Ｃ）において、前面吸込口２および上面吸込口３から吸い込まれた空気の流れに対向している糸の対向部の長さＨに対し、風の流れに沿う糸の側部の長さＩが長くなるように形成されることで、糸の断面形状が「側部の長さＩ＞対向部の長さＨ」となる非円形状に形成されている。
【００２６】
これにより、網体５２の糸間の隙間Ｊを所定の大きさに設定して、風の流れに対する縦糸５２１および横糸５２２による通風抵抗が大きくならないように所定の開口率を確保できる一方、風の流れに沿う糸の側部の長さＩを長くすることで糸への塵埃の付着性を高めることができて、集塵性能を向上できるようにしたフィルタ５となる。
【００２７】
また、第一例として、図４（Ａ）に示す縦糸５２１および横糸５２２の断面模式図のように、糸の一部に角部Ｋを設ける構成にしてもよく、これにより、角部Ｋにおいて、図４（Ａ）の矢印で示す風の流れに渦が発生することになり、この渦の発生により、空気中に含まれた塵埃が糸の角部Ｋや側部に付着しやすくしたフィルタ５となる。
【００２８】
また、第二例として、図４（Ｂ）に示す縦糸５２１および横糸５２２の断面模式図のように、糸の一部に凹凸をなす段部Ｌを設ける構成にしてもよく、これにより、段部Ｌにおいて、図４（Ｂ）の矢印で示す風の流れに渦が発生することになり、この渦の発生により、空気中に含まれた塵埃が糸の段部Ｌや側部に付着しやすくしたフィルタ５となる。
【００２９】
また、第三例として、図４（Ｃ）に示す縦糸５２１および横糸５２２の断面模式図のように、風の流れに対する前後部を曲面形状にした断面長円形状に形成してもよく、これにより、とくに図４（Ｃ）の矢印で示す風の流れに対向する対向部における空気抵抗を減少させることができて、空気中に含まれた塵埃が、断面長円形状の長手方向であって風の流れに沿う糸の側部に付着しやすくしたフィルタ５となる。
【００３０】
また、第四例として、図４（Ｄ）に示す縦糸５２１および横糸５２２の断面模式図のように、断面円形状でなる糸に複数の凸部Ｍを設ける構成にしてもよく、これにより、複数の凸部Ｍにおいて、図４（Ｄ）の矢印で示す風の流れに渦が発生することになり、この渦の発生により、空気中に含まれた塵埃が糸の凸部Ｍや外周部に付着しやすくしたフィルタ５となる。
【００３１】
また、第五例として、図４（Ｅ）に示す縦糸５２１および横糸５２２の断面模式図のように、断面円形状でなる糸に複数の凹部Ｎを設ける構成にしてもよく、これにより、複数の凹部Ｎにおいて、図４（Ｅ）の矢印で示す風の流れに渦が発生することになり、この渦の発生により、空気中に含まれた塵埃が糸の凹部Ｎや外周部に付着しやすくしたフィルタ５となる。
【００３２】
これらにより、網体５２の糸間の隙間Ｊを所定の大きさに設定することで、網体５２を通風抵抗が増加しない開口率に形成する一方、網体５２をなす糸の断面形状を工夫することで、集塵能力を高めることができるようにしたフィルタ５およびこのフィルタ５を備えた空気調和機１を提供できる。
【符号の説明】
【００３３】
１  空気調和機
２  前面吸込口
３  上面吸込口
４  吹出口
５  フィルタ
５１  枠体
５１１  縦リブ
５１２  横リブ
５１Ａ  上段部
５１Ｂ  中段部
５１Ｃ  下段部
５２  網体
５２１  縦糸
５２２  横糸
５２３  横糸
５２Ａ  上部
５２Ｂ  中部
５２Ｃ  下部
６  熱交換器
６ａ  前方上部熱交換器
６ｂ  前方下部熱交換器
６ｃ  後方上部熱交換器
７  送風ファン
８  左右風向板
９  上下風向板
１０  前部露受皿
１１  後部露受皿
【図１】
2012047381.tif 000003
【図２】
2012047381.tif 000004
【図３】
2012047381.tif 000005
【図４】
2012047381.tif 000006